(57)【要約】      （修正有）【課題】技術者がいなくても上手く取付けることができ、新型フェンス板の堅固な連結装置を提供する。【解決手段】フェンス１と、支柱体２と、門扉３とを備え、支柱体はフェンスに取付けられ、門扉は支柱体に取付けられ、フェンスは複数のフェンス板１１からなっており、フェンスの下端に下端部キャップ４が取付けられ、下端部キャップに連結部品５が取付けられ、連結部品の上にフェンス板が挿入して配置され、フェンス板の上端に凸起１１１が設けられ、下端に凹溝１１２が設けられ、フェンス板同士は凸起と凹溝を介して組み合わせて一体化され、フェンスの上端にガードバー６が取付けられ、ガードバーの上と下の周縁にそれぞれ保護部が取付けられ、ガードバーの上周縁の保護部の上端に連結部品が取付けられ、連結部品の上端に上端部キャップ７が取付けられ、設計は精密である。本考案は、時間と手間を省き、取付け易く、運送し易く、堅固に取付けることができる。【選択図】図１
0003205683.tif 000002
【実用新案登録請求の範囲】
【請求項１】
フェンスと、支柱体と、門扉とを備え、前記支柱体は前記フェンスに取付けられ、前記門扉は前記支柱体に取付けられ、前記フェンスは複数のフェンス板からなる新型フェンス板の堅固な連結装置であって
前記フェンスの下端に下端部キャップが取付けられ、前記下端部キャップに連結部品が取付けられ、前記連結部品の上に前記フェンス板が挿入して配置され、前記フェンス板の上端に凸起が設けられ、下端に凹溝が設けられ、前記フェンス板同士は前記凸起と前記凹溝を介して組み合わせて一体化され、前記フェンスの上端にガードバーが取付けられ、前記ガードバーの上と下の周縁にそれぞれ保護部が取付けられ、前記ガードバーの上周縁の前記保護部の上端に連結部品が取付けられ、前記連結部品の上端に上端部キャップが取付けられ、前記連結部品が前記上端部キャップ中に挿入され、前記ガードバーの下周縁の前記保護部は連結部によって前記フェンス板の上に取付けられ、前記保護部に複数の斜め方向凹溝が設けられ、前記保護部は前記斜め方向凹溝を介して前記ガードバーに取付けられ、前記支柱体の四つの側面にそれぞれＵ形凹溝が設けられ、前記フェンス板は前記Ｕ形凹溝に挿入されていることを特徴とする新型フェンス板の堅固な連結装置。
【請求項２】
前記フェンス板の一側に凸起が設けられ、前記フェンス板の他側に凹溝が設けられ、前記フェンス板同士は前記凸起と前記凹溝を介して左右並びに取付けて一体化されていることを特徴とする請求項１に記載の新型フェンス板の堅固な連結装置。
【請求項３】
前記門扉と前記支柱体は、ヒンジを介して連結されていることを特徴とする請求項１に記載の新型フェンス板の堅固な連結装置。
【請求項４】
前記門扉は、門扉枠と戸板からなり、前記門扉枠はＬ形連結部品によって固定され、前記戸板は直接に前記門扉枠に固定されていることを特徴とする請求項１に記載の新型フェンス板の堅固な連結装置。
【請求項５】
前記連結部品は、組立部品ａと組立部品ｂとを備え、前記組立部品ａは弓字形であり、前記組立部品ａの上と下の横方向の分岐にそれぞれ歯形状凸起が設けられ、前記組立部品ｂに前記歯形状凸起に適用する凹溝が設けられ、前記組立部品ｂの下端に矩形の凹溝が設けられていることを特徴とする請求項１に記載の新型フェンス板の堅固な連結装置。
【請求項６】
前記上端部キャップは、親部品と子部品とを備え、前記子部品は二つであり、前記子部品は弓字形であり、前記子部品の上と下の横方向の分岐にそれぞれ歯形状凸起が設けられ、前記親部品の左右両側にそれぞれ前記歯形状凸起に適用する凹溝が設けられ、前記親部品の下端に矩形の凹溝が設けられていることを特徴とする請求項１に記載の新型フェンス板の堅固な連結装置。
【請求項７】
前記ガードバーの右側の周縁に縦方向保護部が設けられ、前記縦方向保護部の外部に縦方向連結部品が設けられ、前記縦方向連結部品と前記ガードバーの上端の前記連結部品は、Ｌ形連結部品によって連結され、前記Ｌ形連結部品の一端は前記連結部品中に挿入され、前記Ｌ形連結部品の他端はボルトによって前記縦方向連結部品に固定されていることを特徴とする請求項１に記載の新型フェンス板の堅固な連結装置。
【請求項８】
前記支柱体の下端に台座が設けられ、前記台座は地下にあり、前記台座は四つの埋込み部品からなり、前記台座の断面は正方形であり、前記埋込み部品同士はボルトによって固定され、前記台座の下端先に下封止具が設けられ、前記下封止具は正方形であり、前記台座の断面に適用していることを特徴とする請求項１に記載の新型フェンス板の堅固な連結装置。
【請求項９】
前記台座の上端に前記埋込み部品の端部キャップが設けられ、前記埋込み部品の前記端部キャップの一側に留め具が設けられ、前記埋込み部品の前記端部キャップは地面にあることを特徴とする請求項８に記載の新型フェンス板の堅固な連結装置。
【請求項１０】
前記Ｌ形連結部品は、アルミニウム製であり、又は硬質プラスチックで作られ、前記門扉及び前記支柱体は、アルミニウム製であり、又は硬質プラスチックで作られていることを特徴とする請求項１に記載の新型フェンス板の堅固な連結装置。
【考案の詳細な説明】
【技術分野】
【０００１】
本考案は、新型フェンス板の堅固な連結装置に関し、庭の塀による保護の分野に属する。
【背景技術】
【０００２】
社会経済の向上に伴って、人々は庭の塀による保護に高い要求を求めているが、現在の庭の塀の囲い柵の施工及び設計は殆ど比較的に遅れており、創意性がない。フェンス板の製造及び取付過程が複雑であり、取付効率が低く、且つ現場での施工時間が長い。
【０００３】
現在、市場にある木質フェンス板は、一般的にほぞ穴結合構造を用い、現場施工において、非常に時間と手間が掛かり、建設コストが非常に高い。現在、市場にあるプラスチック/木材複合のフェンス板は、生産方式が工場で生産することであるが、取付固定方式は大きな欠陥があり、現場施工後にフェンス板は堅固ではなく、二次使用によって原構造を破壊し、資源を無駄にし、環境保全に不利である。
【考案の概要】
【考案が解決しようとする課題】
【０００４】
本考案は、如何なる従来技術に存在された欠点を克服することを課題とする。技術者がいなくても上手く取付けることができ、新型フェンス板の堅固な連結装置を提供することを目的とする。
【課題を解決するための手段】
【０００５】
本考案の技術案は以下の通りである。即ち、
フェンスと、支柱体と、門扉とを備え、前記支柱体は前記フェンスに取付けられ、前記フェンスは複数のフェンス板からなる新型フェンス板の堅固な連結装置である。
前記フェンスの下端に下端部キャップが取付けられ、前記下端部キャップに連結部品が取付けられ、前記連結部品の上にフェンス板が挿入して配置され、前記フェンス板の上端に凸起が設けられ、下端に凹溝が設けられ、前記フェンス板同士は前記凸起と前記凹溝を介して組み合わせて一体化され、前記フェンスの上端にガードバーが取付けられ、前記ガードバーの上と下の周縁にそれぞれ保護部が取付けられ、前記ガードバーの上周縁の前記保護部の上端に前記連結部品が取付けられ、前記連結部品の上端に上端部キャップが取付けられ、前記連結部品が前記上端部キャップ中に挿入されている。前記ガードバーの下周縁の前記保護部は連結部によって前記フェンス板の上に取付けられ、前記保護部に複数の斜め方向凹溝が設けられ、前記保護部は前記斜め方向凹溝を介して前記ガードバーに取付けられている。
【０００６】
さらに、前記フェンス板の一側に凸起が設けられ、前記フェンス板の他側に凹溝が設けられ、前記フェンス板同士は前記凸起と前記凹溝を介して左右並びに取付けて一体化されている。
【０００７】
さらに、前記門扉と前記支柱体は、ヒンジを介して連結されている。
【０００８】
さらに、前記門扉は、門扉枠と戸板からなり、前記門扉枠はL形連結部品によって固定され、前記戸板は直接に前記門扉枠に固定されている。
【０００９】
さらに、前記連結部品は、組立部品ａと組立部品ｂとを備え、前記組立部品ａは弓字形であり、前記組立部品ａの上と下の横方向の分岐にそれぞれ歯形状凸起が設けられ、前記組立部品ｂに前記歯形状凸起に適用する凹溝が設けられ、前記組立部品ｂの下端に矩形の凹溝が設けられている。
【００１０】
さらに、前記上端部キャップは、親部品と子部品とを備え、前記子部品は二つであり、前記子部品は弓字形であり、前記子部品の上と下の横方向の分岐にそれぞれ歯形状凸起が設けられ、前記親部品の左右両側に前記歯形状凸起に適用する凹溝が設けられ、前記親部品の下端に矩形の凹溝が設けられている。
【００１１】
さらに、前記ガードバーの右側の周縁に縦方向保護部が設けられ、前記縦方向保護部の外部に縦方向連結部品が設けられ、前記縦方向連結部品と前記ガードバーの上端の前記連結部品は、Ｌ形連結部品によって連結され、前記Ｌ形連結部品の一端は前記連結部品中に挿入され、前記Ｌ形連結部品の他端はボルトによって前記縦方向連結部品に固定されている。
【００１２】
さらに、前記支柱体の下端に台座が設けられ、前記台座は地下にあり、前記台座は四つの埋込み部品からなり、前記台座の断面は正方形であり、前記埋込み部品同士はボルトによって固定され、前記台座の下端先に下封止具が設けられ、前記下封止具は正方形であり、前記台座の断面に適用している。
【００１３】
さらに、前記台座の上端に前記埋込み部品の端部キャップが設けられ、前記埋込み部品の前記端部キャップの一側に留め具が設けられ、前記留め具は地面にある。
【００１４】
さらに、前記Ｌ形連結部品は、アルミニウム製であり、又は硬質プラスチックで作られ、前記門扉及び前記支柱体は、アルミニウム製であり、又は硬質プラスチックで作られている。
【考案の効果】
【００１５】
本考案は、時間と手間を省き、取付け易く、運送し易く、堅固に取付けることができる。ボルトにより連結することで、二次使用可能となり、コストを節約し、環境に優しく、美観と実用を兼用することを実現でき、巨大な市場見込みと経済効果を有する。本考案は、直接に組立でき、部品が運送し易く、丈夫であり、取付し易く、空間を節約し、より実用化できる。
【図面の簡単な説明】
【００１６】
【図１】図１は本考案の構造概略図である。
【図２】図２は本考案の新型ガードバー６の構造概略図である。
【図３】図３は本考案の新型支柱体２の構造概略図である。
【図４】図４は本考案のもう一種の構造概略図である。
【考案を実施するための形態】
【００１７】
次に、図面を併せて本考案を説明する。
【実施例１】
【００１８】
図１、図２及び図３に示すように、新型フェンス板の堅固な連結装置は、フェンス１と、支柱体２と、門扉３とを備え、前記支柱体２は前記フェンス１に取付けられ、前記門扉３は前記支柱体２に取付けられ、前記フェンス１は木質、又は木材/プラスチック複合で作られ、前記門扉３及び前記支柱体２は、アルミニウム製であり、又は硬質プラスチックで作られ、取り外しすることができ、運送し易くなる。前記フェンス板１は複数のフェンス板１１からなり、取付が簡単であり、運送し易くなる。
【００１９】
前記フェンス１の下端に下端部キャップ４が取付けられ、前記下端部キャップ４に連結部品５が取付けられ、前記下端部キャップ４の隅はＬ型連結部品を用いて前記フェンス板１１に連結され、堅固に取付けることができる。前記連結部品５に凸起が設けられ、前記下端部キャップ４に凹溝が設けられ、前記連結部品５は前記下端部キャップ４中に挿入され、前記フェンス板１１の上端に凸起１１１が設けられ、前記フェンス板１１の下端に凹溝１１２が設けられ、前記フェンス板１１同士は前記凸起１１１と前記凹溝１１２を介して組み合わせて一体化され、前記フェンス１の上端にガードバー６が取付けられ、前記ガードバー６の上と下の周縁にそれぞれ保護部６１が取付けられ、前記ガードバー６の下周縁の前記保護部６１は前記連結部品５によって前記フェンス板１１に取付けられ、前記保護部６１に複数の斜め方向凹溝６１１が設けられ、前記保護部６１は前記斜め方向凹溝６１１を介して前記ガードバー６に取付けられている。
【００２０】
前記ガードバー６の上周縁の前記保護部６１の上端に前記連結部品５が取付けられ、前記連結部品５の上端に上端部キャップ７が取付けられ、前記連結部品５が前記上端部キャップ７の凹溝に挿入され、安定に連結することができる。
【００２１】
前記門扉３と前記支柱体２は、ヒンジを介して連結され、可動し易くすることができる。前記門扉３は門扉枠３１と戸板３２からなり、前記門扉枠３１はＬ型連結部品によって固定され、前記戸板３２は直接に前記門扉枠３１に固定されている。
【００２２】
前記連結部品５は、組立部品ａと組立部品ｂとを備え、前記組立部品ａは弓字形であり、前記組立部品ａの上と下の横方向の分岐にそれぞれ歯形状凸起が設けられ、前記組立部品ｂに前記歯形状凸起に適用する凹溝が設けられ、前記フェンス板１１又は前記保護部６１が挿入し易くなるため、前記組立部品ｂの下端に矩形の凹溝が設けられている。
【００２３】
前記上端部キャップ７は、親部品７１と子部品７２とを備え、前記子部品７２は二つであり、前記子部品７２は弓字形であり、前記子部品７２の上と下の横方向の分岐にそれぞれ歯形状凸起が設けられ、前記親部品７１の左右両側に前記歯形状凸起に適用する凹溝が設けられ、前記連結部品５が挿入し易くなるため、前記親部品７１の下端に矩形の凹溝が設けられている。固着に連結するため、前記ガードバー６の右側の周縁に縦方向保護部６２が設けられ、前記縦方向保護部６２の外部に縦方向連結部品８が設けられ、同様に凹溝の方式によって連結されている。前記縦方向連結部品８と前記ガードバー６の上端の前記連結部品５は、Ｌ形連結部品によって連結され、前記Ｌ形連結部品の一端は前記連結部品５中に挿入され、前記Ｌ形連結部品の他端はボルトによって前記縦方向連結部品８に固定され、設計が優れ、安定に連結されている
【００２４】
前記支柱体を丈夫に取付けるため、前記支柱体２の下端に台座２１が設けられ、前記台座２１は地下にあり、前記台座２１は四つの埋込み部品ｃからなり、前記台座２１の断面は正方形であり、前記埋込み部品ｃ同士はボルトによって固定され、前記台座２１の下端先に下封止具２１１が設けられ、前記下封止具２１１は正方形であり、前記台座２１の断面に適用している。前記台座２１の上端に前記埋込み部品の端部キャップ２２が設けられ、前記埋込み部品の前記端部キャップ２２の一側に留め具が設けられ、前記埋込み部品の前記端部キャップ２２は地面にあり、上記の構造は前記支柱体２の安定性を保証するためであり、設計が精密であり、取付が簡単である。前記Ｌ型連結部品はアルミニウム製であり、又は硬質プラスチックで作られ、前記門扉及び前記支柱体は、アルミニウム製であり、又は硬質プラスチックで作られている。前記支柱体１の四つの側面にそれぞれＵ形凹溝が設けられ、前記フェンス板は前記Ｕ形凹溝に挿入され、残りの凹溝は閉鎖可能である。前記支柱体２の下端の中に標尺を取付けることができ、標尺のメモリ部分が露出されたので、設置者が深さを測定することに便利になり、設計が簡単で便利である。更に、前記ガードバー６の下周縁に線経路溝を取り付けることができ、前記支柱体２の中にも線経路溝を取り付けることができる。前記線経路溝には電線を通すことができ、線経路溝を介してフェンス板１１に変圧器を設置することができるので、フェンス１に各電飾、祝祭日のイルミネーション、赤外線センサー、監視制御、インテリジェント警報システムなどを設置することが実現できる。前記変圧器の形状は鳥かご及びその他の形式の芸術的な形状であってもよい。
【実施例２】
【００２５】
図２、図３及び図４に示すように、新型フェンス板の堅固な連結装置は、フェンス１と、支柱体２と、門扉３とを備え、前記支柱体２は前記フェンス１に取付けられ、前記門扉３は前記支柱体２に取付けられ、前記フェンス１は木質、又は木材/プラスチック複合で作られ、前記門扉３及び前記支柱体２は、アルミニウム製であり、又は硬質プラスチックで作られ、取り外しすることができ、運送し易くなる。前記フェンス板１は複数のフェンス板１１からなり、取付が簡単であり、運送し易くなる。
【００２６】
前記フェンス１の下端に下端部キャップ４が取付けられ、前記下端部キャップ４に連結部品５が取付けられ、前記連結部品５に凸起が設けられ、前記下端部キャップ４に凹溝が設けられ、前記連結部品５は前記下端部キャップ４中に挿入され、前記フェンス板１２の一側に凸起１２１が設けられ、前記フェンス板１２の他側に凹溝１２２が設けられ、前記フェンス板１２同士は前記凸起１２１と前記凹溝１２２を介して左右に組み合わせて一体化されている。前記フェンス１の上端にガードバー６が取付けられ、前記ガードバー６の上と下の周縁にそれぞれ保護部６１が取付けられ、前記ガードバー６の下周縁の前記保護部６１は前記連結部品５によってフェンス板１２に取付けられ、前記保護部６１に複数の斜め方向凹溝６１１が設けられ、前記保護部６１は前記斜め方向凹溝６１１を介して前記ガードバー６に取付けられている。
【００２７】
前記ガードバー６の上周縁の前記保護部６１の上端に前記連結部品５が取付けられ、前記連結部品５の上端に上端部キャップ７が取付けられ、前記連結部品５が前記上端部キャップ７の凹溝に挿入され、安定に連結することができる。前記門扉３と前記支柱体２は、ヒンジを介して連結され、可動し易くなる。前記門扉３は門扉枠３１と戸板３２からなり、前記門扉枠３１はＬ型連結部品によって固定され、前記戸板３２は直接に前記門扉枠３１に固定されている。
【００２８】
前記連結部品５は、組立部品ａと組立部品ｂとを備え、前記組立部品ａは弓字形であり、前記組立部品ａの上と下の横方向の分岐にそれぞれ歯形状凸起が設けられ、前記組立部品ｂに前記歯形状凸起に適用する凹溝が設けられ、フェンス板１２又は保護部６１が挿入し易くなるため、前記組立部品ｂの下端に矩形の凹溝が設けられている。
【００２９】
前記上端部キャップ７は、親部品７１と子部品７２とを備え、前記子部品７２は二つであり、前記子部品７２は弓字形であり、前記子部品７２の上と下の横方向の分岐にそれぞれ歯形状凸起が設けられ、前記親部品７１の左右両側にそれぞれ歯形状凸起に適用する凹溝が設けられ、連結部品５が挿入し易くなるため、前記親部品７１の下端に矩形の凹溝が設けられている。
【００３０】
固着に連結するため、前記ガードバー６の右側の周縁に縦方向保護部６２が設けられ、前記縦方向保護部６２の外部に縦方向連結部品８が設けられ、同様に凹溝の方式によって連結されている。前記縦方向連結部品８と前記ガードバー６の上端の前記連結部品５は、Ｌ形連結部品によって連結され、前記Ｌ形連結部品の一端は前記連結部品５中に挿入され、前記Ｌ形連結部品の他端はボルトによって前記縦方向連結部品８に固定され、設計が優れ、安定に連結されている。
【００３１】
前記支柱体を丈夫に取付けるため、前記支柱体２の下端に台座２１が設けられ、前記台座２１は地下にあり、前記台座２１は四つの埋込み部品ｃからなり、前記台座２１の断面は正方形であり、前記埋込み部品ｃ同士はボルトによって固定され、前記台座２１の下端先に下封止具２１１が設けられ、前記下封止具２１１は正方形であり、前記台座２１の断面に適用している。前記台座２１の上端に前記埋込み部品の端部キャップ２２が設けられ、前記埋込み部品の前記端部キャップ２２の一側に留め具が設けられ、前記埋込み部品の前記端部キャップ２２は地面にあり、上記の構造は前記支柱体２安定性を保証するためであり、設計が精密であり、取付が簡単である。前記Ｌ型連結部品はアルミニウム製であり、又は硬質プラスチックで作られ、前記門扉及び前記支柱体は、アルミニウム製であり、又は硬質プラスチックで作られている。前記支柱体１の四つの側面にそれぞれＵ形凹溝が設けられ、前記フェンス板は前記Ｕ形凹溝に挿入され、その残りの凹溝は閉鎖可能である。前記支柱体２に標尺を取付けることができ、標尺のメモリ部分が露出されたので、設置者が深さを測定することに便利になり、設計が簡単で便利である。
【００３２】
本考案は、時間と手間を省き、取付け易く、運送し易く、堅固に取付けることができる。ボルトにより連結することで、二次使用可能となり、コストを節約し、環境に優しく、美観と実用を兼用することを実現でき、巨大な市場見込みと経済効果を有する。本考案は、直接に組立でき、部品が運送し易く、丈夫であり、取付が便利であり、空間を節約し、より実用化できる。
【００３３】
上記実施例は、本考案の技術構想及び特徴のみを説明するため、当業者が本考案の内容を理解させ、且つ実施できることを目的とする。これより本考案の保護範囲を限定することができない。本考案の内容の旨に基づき実質的に完成した同等の変更又は修飾は、本考案の保護範囲に含まれるべきである。
【符号の説明】
【００３４】
１  フェンス
２  支柱体
３  門扉
４  下端部キャップ
５  連結部品
６  ガードバー
７  上端部キャップ
８  縦方向連結部品
１１  フェンス板
２１  台座
２２  埋込み部品の端部キャップ
３１  門扉枠
３２  戸板
６１  保護部
７１  親部品
７２  子部品
１１１  凸起
１１２  凹溝
【図１】
0003205683.tif 000003
【図２】
0003205683.tif 000004
【図３】
0003205683.tif 000005
【図４】
0003205683.tif 000006
【手続補正書】
【提出日】平成28年6月3日(2016.6.3)
【手続補正１】
【補正対象書類名】実用新案登録請求の範囲
【補正対象項目名】全文
【補正方法】変更
【補正の内容】
【実用新案登録請求の範囲】
【請求項１】
フェンスと、支柱体と、門扉とを備え、前記支柱体は前記フェンスに取付けられ、前記門扉は前記支柱体に取付けられ、前記フェンスは複数のフェンス板からなる新型フェンス板の堅固な連結装置であって
前記フェンスの下端に下端部キャップが取付けられ、前記下端部キャップに連結部品が取付けられ、前記連結部品の上に前記フェンス板が挿入して配置され、前記フェンス板の上端に凸起が設けられ、下端に凹溝が設けられ、前記フェンス板同士は前記凸起と前記凹溝を介して組み合わせて一体化され、前記フェンスの上端にガードバーが取付けられ、前記ガードバーの上と下の周縁にそれぞれ保護部が取付けられ、前記ガードバーの上周縁の前記保護部の上端に連結部品が取付けられ、前記連結部品の上端に上端部キャップが取付けられ、前記連結部品が前記上端部キャップ中に挿入され、前記ガードバーの下周縁の前記保護部は連結部品によって前記フェンス板の上に取付けられ、前記保護部に複数の斜め方向凹溝が設けられ、前記保護部は前記斜め方向凹溝を介して前記ガードバーに取付けられ、前記支柱体の四つの側面にそれぞれＵ形凹溝が設けられ、前記フェンス板は前記Ｕ形凹溝に挿入されていることを特徴とする新型フェンス板の堅固な連結装置。
【請求項２】
前記フェンス板の一側に凸起が設けられ、前記フェンス板の他側に凹溝が設けられ、前記フェンス板同士は前記凸起と前記凹溝を介して左右並びに取付けて一体化されていることを特徴とする請求項１に記載の新型フェンス板の堅固な連結装置。
【請求項３】
前記門扉と前記支柱体は、ヒンジを介して連結されていることを特徴とする請求項１に記載の新型フェンス板の堅固な連結装置。
【請求項４】
前記門扉は、門扉枠と戸板からなり、前記門扉枠はＬ形連結部品によって固定され、前記戸板は直接に前記門扉枠に固定されていることを特徴とする請求項１に記載の新型フェンス板の堅固な連結装置。
【請求項５】
前記連結部品は、組立部品ａと組立部品ｂとを備え、前記組立部品ａは弓字形であり、前記組立部品ａの上と下の横方向の分岐にそれぞれ歯形状凸起が設けられ、前記組立部品ｂに前記歯形状凸起に適用する凹溝が設けられ、前記組立部品ｂの下端に矩形の凹溝が設けられていることを特徴とする請求項１に記載の新型フェンス板の堅固な連結装置。
【請求項６】
前記上端部キャップは、親部品と子部品とを備え、前記子部品は二つであり、前記子部品は弓字形であり、前記子部品の上と下の横方向の分岐にそれぞれ歯形状凸起が設けられ、前記親部品の左右両側にそれぞれ前記歯形状凸起に適用する凹溝が設けられ、前記親部品の下端に矩形の凹溝が設けられていることを特徴とする請求項１に記載の新型フェンス板の堅固な連結装置。
【請求項７】
前記ガードバーの右側の周縁に縦方向保護部が設けられ、前記縦方向保護部の外部に縦方向連結部品が設けられ、前記縦方向連結部品と前記ガードバーの上端の前記連結部品は、Ｌ形連結部品によって連結され、前記Ｌ形連結部品の一端は前記連結部品中に挿入され、前記Ｌ形連結部品の他端はボルトによって前記縦方向連結部品に固定されていることを特徴とする請求項１に記載の新型フェンス板の堅固な連結装置。
【請求項８】
前記支柱体の下端に台座が設けられ、前記台座は地下にあり、前記台座は四つの埋込み部品からなり、前記台座の断面は正方形であり、前記埋込み部品同士はボルトによって固定され、前記台座の下端先に下封止具が設けられ、前記下封止具は正方形であり、前記台座の断面に適用していることを特徴とする請求項１に記載の新型フェンス板の堅固な連結装置。
【請求項９】
前記台座の上端に前記埋込み部品の端部キャップが設けられ、前記埋込み部品の前記端部キャップの一側に留め具が設けられ、前記埋込み部品の前記端部キャップは地面にあることを特徴とする請求項８に記載の新型フェンス板の堅固な連結装置。
【請求項１０】
前記Ｌ形連結部品は、アルミニウム製であり、又は硬質プラスチックで作られ、前記門扉及び前記支柱体は、アルミニウム製であり、又は硬質プラスチックで作られていることを特徴とする請求項４または７に記載の新型フェンス板の堅固な連結装置。